【事件の表示】
　特願２０００−１２７１７９「アレイ導波路型回折格子」拒絶査定不服審判事件〔平成１３年１０月３１日出願公開、特開２００１−３０５３６１〕について、次のとおり審決する。
【結　論】
　本件審判の請求は、成り立たない。
【理　由】
　
　第１　手続の経緯
　
　本願は、平成１２年４月２７日の特許出願であって、平成２１年４月２７日付けで手続補正がなされたが、平成２２年３月２４日付けで拒絶査定がなされ、これに対し、同年６月２５日に拒絶査定不服審判請求がなされるとともに、これと同時に手続補正がなされたものである（以下、平成２２年６月２５日になされた手続補正を「本件補正」という。）。
　
第２　本件補正についての補正却下の決定
　
［結論］
　
　本件補正を却下する。
　
［理由］
　
１　補正の内容
　
　本件補正は、本願明細書の特許請求の範囲の請求項１につき、補正前の
　
「１本以上の並設された光入力導波路の出射側に第１のスラブ導波路が接続され、該第１のスラブ導波路の出射側には該第１のスラブ導波路から導出された光を伝搬する互いに異なる長さの複数の並設されたアレイ導波路が接続され、該複数のアレイ導波路の出射側には第２のスラブ導波路が接続され、該第２のスラブ導波路の出射側には複数の並設された光出力導波路が接続された導波路構成が基板上に形成されているアレイ導波路型回折格子において、前記第１のスラブ導波路と第２のスラブ導波路の少なくとも一方がスラブ導波路を通る光の経路と交わる切断面で前記基板と一体的に切断されて分離スラブ導波路と成し、該分離スラブ導波路同士が切断面を互いに向き合わせて、当該切断面の切断ライン方向の位置を、予め定めた設定温度においてアレイ導波路型回折格子の透過中心波長が予め定めた設定波長に一致する位置に調整して光学的に接続されており、前記分離スラブ導波路同士の一方側には、使用環境温度の変化に伴う前記透過中心波長の前記設定波長からのずれを補正する方向に補正量だけ、当該一方側の分離スラブ導波路をその下側の基板と一体的に使用環境温度の変化に応じて前記切断面の切断ラインに沿って他方側の分離スラブ導波路に対して相対的に移動する手段が設けられていることを特徴とするアレイ導波路型回折格子。」
　
を、
　
「１本または２本以上の並設された光入力導波路の出射側に第１のスラブ導波路が接続され、該第１のスラブ導波路の出射側には該第１のスラブ導波路から導出された光を伝搬する互いに異なる長さの複数の並設されたアレイ導波路が接続され、該複数のアレイ導波路の出射側には第２のスラブ導波路が接続され、該第２のスラブ導波路の出射側には複数の並設された光出力導波路が接続された導波路構成が基板上に形成されているアレイ導波路型回折格子において、前記第１のスラブ導波路と第２のスラブ導波路の少なくとも一方がスラブ導波路を通る光の経路と交わる切断面で前記基板と一体的に切断されて分離スラブ導波路と成し、該分離スラブ導波路同士が切断面を互いに向き合わせて、当該切断面の切断ライン方向の位置を、予め定めた設定温度においてアレイ導波路型回折格子の透過中心波長が予め定めた設定波長に一致する位置に調整して光学的に接続されており、前記分離スラブ導波路同士の一方側には、使用環境温度の変化に伴う前記透過中心波長の前記設定波長からのずれを補正する方向に補正量だけ、当該一方側の分離スラブ導波路をその下側の基板と一体的に使用環境温度の変化に応じて前記切断面の切断ラインに沿って他方側の分離スラブ導波路に対して相対的にリアルタイムで移動する手段が設けられていることを特徴とするアレイ導波路型回折格子。」
　
に補正する内容を含むものである。
　
２　補正の目的
　
　上記１の補正は、補正前の請求項１の「１本以上の並設された光入力導波路」を「１本または２本以上の並設された光入力導波路」とし、同じく「使用環境温度の変化に伴う前記透過中心波長の前記設定波長からのずれを補正する方向に補正量だけ、当該一方側の分離スラブ導波路をその下側の基板と一体的に使用環境温度の変化に応じて前記切断面の切断ラインに沿って他方側の分離スラブ導波路に対して相対的に移動する手段」について、「リアルタイムで」移動することを限定するものであるから、平成１４年法律第２４号改正附則第２条第１項によりなお従前の例によるとされる同法による改正前の特許法（以下「平成１４年改正前特許法」という。）第１７条の２第４項第２号の特許請求の範囲の減縮を目的とするものに該当する。
　
３　独立特許要件
　
　本件補正後の請求項１に係る発明（以下「本願補正発明」という。）が特許出願の際独立して特許を受けることができるものであるかについて以下に検討する。
　
（１）引用刊行物の記載
　
ア　原査定の拒絶理由に引用された、本願出願前に頒布された刊行物である特開平１１−２１８６３９号公報（以下「引用刊行物１」という。）には、以下の記載がある（下線は、審決にて付したもの。以下同じ。）。
　
（ア）「【特許請求の範囲】
【請求項１】  
プレーナ入力領域（４）と、プレーナ出力領域（６）と、これらプレーナ入力領域およびプレーナ出力領域の間に設けられたマイクロガイドアレイ（２）と、前記プレーナ入力領域（４）に対する光ビームの入力手段（８）と、前記プレーナ出力領域（６）からの光ビームの出力手段（１０）と、を具備してなる整相アレイデバイスであって、第１ピースおよび第２ピースと称される少なくとも２つのピースを具備し、前記第１ピース（１２，３８）は、少なくとも１つのプレーナ領域の一部分（１４，２４）と、これに対応した前記入力手段および前記出力手段の一方と、を備え、前記第２ピース（１６，２６）は、このプレーナ領域の他の部分（１８）と、前記デバイスの他の構成要件と、を備え、前記第１および第２ピースは、完成品の前記デバイスを形成するよう、かつ、前記デバイスの波長を調整し得るようにして、組み付けられていることを特徴とする整相アレイデバイス。
　
…（略）…
　
【請求項１３】  請求項１記載のデバイスの製造方法であって、
複数のピース（１２，１６，２２，２６，３８）を形成し、
前記デバイスの全体を形成するよう、前記ピースを組み付け、
その後、このデバイスにおいて、波長の調整を行うことを特徴とする方法。
【請求項１４】  
１つのピースを、他のピースに対して相対変位させることにより、前記デバイスの中心波長を調整する
　
…（略）…
　
【請求項１６】  
各ピースを１つの基板上に形成し、その後、切断によってこの基板から各ピースを切り離す
　
（イ）「【０００１】
【発明の属する技術分野】本発明は、整相アレイデバイスすなわちフェーザに関するものであり、ならびに、このようなデバイスの製造方法に関するものである。
【０００２】
このタイプのデバイスは、また、ＡＷＧ（Arrayed-Waveguide  Grating）とも称され
【０００３】本発明によるデバイスは、以下の説明においてはフェーザ（PHASAR）と称される。」
　
（ウ）「【００２８】一般に、フェーザの格別の特徴は、波長どうしの分離に必要な周期的位相シフトを引き起こすというプロセスにある。
【００２９】この位相シフトは、マイクロガイドアレイ２によって得られる。ここで、マイクロガイドの数は、Ｍで示されている。
【００３０】
これらＭ個のマイクロガイドに対応した複数の光学経路は、互いに異なっている。
【００３１】２つの隣接した光学経路の間の間隔Ｄは、光学ステップ差と称されるものであって、一定とされている。」
　
（エ）「【０１３５】図４は、波長のデマルチプレクサ的動作においてのフェーザの平均波長あるいは中心波長の光学的機械的調整のための方法の例を、概略的に示している。
【０１３６】図４に示す本発明によるフェーザは、２つのピース１２，２６だけを備えていることに注意されたい。これについては、後述する。
【０１３７】入力用マイクロガイドとしてここで使用されているマイクロガイド１０が、光ファイバ２８に対して接続されていること、および、出力用マイクロガイドとしてここで使用されているマイクロガイド８が、光ファイバ３０に対して接続されていること、がわかる。
【０１３８】変形として、光ファイバを使用することなく、マイクロガイド１０が光エミッタに対して接続されても良く、および／または、マイクロガイド８が光レシーバに対して接続されても良い。
【０１３９】これらエミッタおよび／またはレシーバは、フェーザの形成材料の性質に応じて、フェーザと集積化することも、フェーザ上に組み付けることも、フェーザと一体化することもできる。
【０１４０】より一般的には、入力部分および／または出力部分には、任意の能動光電素子（例えば、エミッタ、レシーバ、または、光増幅器）あるいは受動光電素子（例えば、集積化光学における他の接続素子）を、（集積化によって、搬送によって、あるいは、一体化によって）配置することができる。
【０１４１】フェーザのある特別の動作（デマルチプレクサ的動作）においては、いくつかの波長λｉ１、λｉ２、…、λｉＮから構成されている光が、Ｅ個の入力用光ファイバ２８のうちのある第ｉ番目に入射されると、Ｎ個の出力ファイバの各々に関する出力部分には、単一波長が現れる。
【０１４２】したがって、目的は、光ファイバ３０（出力用光ファイバ）ごとに、単一波長を得ることである。
【０１４３】
図４からわかるように、波長の調整は、プレーナ領域１４のうちの一部分および対応するマイクロガイド８を備えたフェーザピース１２と、このピース１２に接続された出力用光ファイバ３０とを、フェーザの残りの部分に対して、特に、プレーナ領域１８の他の部分（残りの部分）に対して、移動させることにより行われる。
【０１４４】図４に示す例（ＳｉＯ2 基板）においては、（スペクトル間隔Δλにかかわらず）入力用／出力用マイクロガイドは、約２０μｍ離間しており、ピース１２を１μｍだけ変位させることは、Δλ／２０というλの変位に対応する。したがって、感度の大きさの程度が、マイクロマニピュレータの精度と適合している。
【０１４５】例えば、ＩｎＰ基板の場合には、マイクロガイドどうしの間の２０μｍというこの間隔は、典型的には、５μｍの程度にまで低減される。
【０１４６】０．５μｍ内に配置すること（市販のマイクロマニピュレータにより可能）により、なおもΔλ／１０という精度をもたらすことができ、これは、たいていの応用に際して十分である。
【０１４７】
ピース１２の変位に際しては、矢印Ｆで示す機械的デバイスが、ピース１２のうちのプレーナ領域１４の一部分を、対応部分１８に対して横方向に変位させるために使用される。
【０１４８】
よって、横方向調整によって、平均波長λm が調整される。
【０１５０】調整が完了すると、ピース１２は、図４に示すフェーザの残りの部分に対して固定される。」
　
（オ）上記（ア）及び（エ）の記載を踏まえて図４をみれば、プレーナ領域の一部分（１４）と、このプレーナ領域の他の部分（１８）の間の分離面は、第１ピース（１２）及び第２ピース（２６）の分離面と同一の面であり、プレーナ領域の一部分（１４）と、このプレーナ領域の他の部分（１８）は、分離面を互いに向き合わせていることが理解できる。
　
　なお、図４は、次のとおりである。
　
（カ）「【０１９３】次に、
プレーナ領域の起点部分をなすプレーナ領域の「直前箇所」において分離がなされている文献（１４）における技術と比較した場合の、対応するプレーナ領域の内部において２つのピースへと分離がなされている本発明の利点について説明する。
　
（キ）「【０２００】この説明において言及した文献を以下に列挙する。
…（略）…
（１４）WO 9600915A (SIEMENS AG), US 5, 732, 171.」
　
イ　同じく米国特許第５９０５８２４号明細書（以下「引用刊行物２」という。）には、以下の記載がある。
　
（ア）「FIELD OF THE INVENTION
  This invention relates generally to planar waveguides used to carry optical signals between optical devices, and more particularly, this invention relates to an optical waveguide device wherein passive components are utilized for routing and distributing optical transmissions.」（第１欄第５−１０行）
　
（日本語訳）
　
「発明の属する技術分野
本発明は、一般に光デバイス間に光信号を伝えるために用いられる平板導波路に関し、特に受動構成部品が光伝送の経路指定と分配用に用いられる光学導波路デバイスに関するものである。」
　
（イ）「It is an object of this invention, to compensate for shifts in wavelength caused by a change in temperature. This solution requires little or no external power.」（第３欄第３１−３３行）
　
（日本語訳）
「
本発明の目的は、温度変化によって生じる波長シフトを補償することである。本発明が必要とするのは、僅かの外部電力であるか、あるいは外部電力を必要としない。
　
（ウ）「Turning now to FIG. 2, a similar multichannel, dense, 1xn WDM is shown, wherein the monolithic waveguide block of FIG. 1 is separated into two waveguide blocks 200 and 202. Block 202 comprises a waveguide concentrator 204 having closely spaced waveguides 206 at a coupling end 208 for receiving/picking up separated sub-beams in separate designated waveguides 206 from the phased array demultiplexer (PAD) of waveguide block 200. The waveguide concentrator 204 guides the closely spaced separate sub-beams to spaced apart locations for coupling to individual fibers at an output end 210. Separation 201 between block 200 and block 202 permits the waveguide concentrator 204 to accommodate the wavelength shift induced by changing temperature, by shifting the position of the sub-beams, or by shifting the coupling ends of the waveguide concentrator 204. This relative shift between blocks 200 and 202 adjusts the physical alignment of the separated sub-beams and the waveguide concentrator 204 to match the physical shift of the sub-beams leaving the free space region 170 in response to changing temperature.」（第４欄第４０−５９行）
　
（日本語訳）
　
「
図２には、同様の多チャンネル、高密度、１×ｎのＷＤＭが示されており、そこでは図１のモノリシック導波路ブロックが２つの導波路ブロック２００及び２０２に分離されている。
　
（エ）「The temperature compensation is effected in this embodiment by mounting the block 202 to a support 212 of different material having a selected coefficient of expansion for movement relative to the other block 200 in the directions of the phase shift, indicated by arrow A. Either block 200, 202 can be mounted to the expansion material 212 for movement relative to the other to cause a shift sufficient to realign the sub-beams to their designated waveguides 206 for proper coupling. Expansion material 212 is secured at an opposite side from the block 200 or 202 to a stable support 214. Likewise the opposite block is secured to the stable support 214, that relative movement is seen between the free space 170 and the waveguide concentrator 204.
  Blocks 200, 202 may be formed as a single block and cut into separate elements to provide for phase shift between the free space region 170 and the waveguide concentrator 204. Alternatively, the blocks 200, 202 may be manufactured separately. Separation in the formerly monolithic structure offers the opportunity to insert additional optical elements. The monolithic construction of prior art devices has not permitted this type of correction.
  A shift of the coupling connection between the free space region 170 and the waveguide concentrator 204 provides physical alignment of the separated sub-beams and the pickup waveguides 206 associated with each wavelength. The natural wavelength shift can be quantified by measuring the shift per degree. The effect is seen by a shift in the anticipated wavelength picked up by a designated waveguide 206 or by cross talk within one waveguide 206. The distance of this shift per degree represents the relative shift required per degree between the two blocks. A material with a high coefficient of expansion, a metal for example, is selected for its coefficient of expansion and the thickness is chosen to produce the shift per degree needed to compensate for the wavelength drift. A combination of materials can be used to obtain an expansion to match the wavelength shift. Using a temperature responsive expansion/contraction the shift is automatic, and the system is passive requiring no energy input.
  As an example, a WDM for separating input light into sixteen channels having centre wavelengths separated by 100 Ghz or channels with an interchannel spacing of 20 μm for pickup by the waveguides of the waveguide concentrator. A shift of 1.4 Ghz/℃ requires an equal shift of 0.28 μm/℃ of the pickup waveguides. Selecting aluminum as an expansion material having a coefficient of expansion of 2.3×105 /℃, a thickness of 11.2 mm is required to provide the 0.28 μm/℃ shift.」（第５欄第１−４９行）
　
（日本語訳）
　
「
温度補償は、この実施形態例では、ブロック２０２を、ブロック２００に対して、矢印Ａで示される位相シフトの方向へ相対的に移動させる選択された膨張係数を持つ異なる材料の支持体２１２に取り付けることによってなされている。各サブビームを、指定された導波路２０６に適切に結合するよう再び整合するのに十分なシフトを生じさせるために、ブロック２００とブロック２０２のいずれか一方が、他方に対して相対的に移動するように、膨張材料２１２に取り付けられる。膨張材料２１２は、ブロック２００あるいはブロック２０２とは反対側で固定支持体２１４に固定される。同様に、他方のブロックは、自由導波領域１７０と導波路集信器２０４との間で相対的な移動がみられるように、固定支持体２１４に固定される。
　ブロック２００，２０２は、自由導波領域１７０と導波路集信器２０４との間の位相シフトに備えるために、単一のブロックとして形成した後、分離切断して形成してもよい。あるいは、ブロック２００，２０２は、別個に製作されてもよい。従来の単一のモノリシック構造を分離することで、追加の光学的要素を挿入する機会が得られる。従来技術のデバイスのモノリシック構造は、この種の修正は行なえない。
　自由導波領域１７０と導波路集信器２０４間の結合接続のシフトは、分離したサブビームと、各波長に対応するピックアップ導波路２０６との物理的整合を提供する。なお、自然な波長シフトは、１度あたりのシフトを測定することにより測量される。指定した導波路２０６によって得られる予想された波長のシフトによって、あるいは一個の導波路２０６内の混信によって、影響を理解することができる。１度あたりのこのシフトの距離は、２つのブロックの間の１度あたりに要求される相対的シフトを表している。高膨張係数の材料、たとえば金属が、その膨張係数のゆえに選択され、膨張材料２１２の厚みは、波長ドリフトを補償するために必要な１度あたりのシフトを生み出すように選択される。波長シフトに整合する膨張を得るために、材料を組み合わせて用いてもよい。温度に対応する膨張／収縮を用いて、相対シフトは自動的で行なわれ、かつ、そのシステムはエネルギ入力の不要な受動的なものである。
　例として、入力光を、１００Ｇｈｚで分離された中心波長を持つ１６のチャンネルに分離する、あるいは、導波路集信器の導波路によりピックアップされる２０μｍのチャンネル間の間隔を持つチャンネルに分離するＷＤＭを挙げる。１．４Ｇｈｚ／℃のシフトは、ピックアップ導波路の位置を０．２８μｍ／℃シフトさせるのと等価のシフトを必要とする。２．３×１０5／℃の膨張係数を持つ膨張材料としてアルミニウムを選択した場合、０．２８μｍ／℃のシフトを提供するためには、１１．２ｍｍの厚みが必要である。」
　
（２）引用発明
　
　上記（１）アによれば、引用刊行物１には、
「プレーナ入力領域（４）と、プレーナ出力領域（６）と、これらプレーナ入力領域およびプレーナ出力領域の間に設けられたマイクロガイドアレイ（２）と、前記プレーナ入力領域（４）に対する光ビームの入力手段（８）と、前記プレーナ出力領域（６）からの光ビームの出力手段（１０）と、を具備してなる整相アレイデバイスであって、
　第１ピースおよび第２ピースと称される少なくとも２つのピースを具備し、
　前記第１ピース（１２）は、少なくとも１つのプレーナ領域の一部分（１４）と、これに対応した前記入力手段および前記出力手段の一方と、を備え、
　前記第２ピース（２６）は、このプレーナ領域の他の部分（１８）と、前記デバイスの他の構成要件と、を備え、
　前記第１および第２ピースは、完成品の前記デバイスを形成するよう、かつ、前記デバイスの波長を調整し得るようにして、組み付けられており、
　Ｍ個のマイクロガイドに対応した複数の光学経路は、互いに異なっており、
　各ピースは、１つの基板上に形成され、その後、切断によってこの基板から各ピースに切り離され、
　プレーナ領域の一部分（１４）と、このプレーナ領域の他の部分（１８）の間の分離面は、第１ピース（１２）及び第２ピース（２６）の分離面と同一の面であり、プレーナ領域の一部分（１４）と、このプレーナ領域の他の部分（１８）は、分離面を互いに向き合わせており、
　１つのピースを、他のピースに対して相対変位させることにより、前記デバイスの中心波長を調整する整相アレイデバイス。」
の発明（以下「引用発明」という。）が記載されているものと認められる。
　
（３）対比
　
　本願補正発明と引用発明とを対比する。
　
ア　引用発明の「光ビームの入力手段（８）」、「プレーナ入力領域（４）」、「プレーナ出力領域（６）」及び「光ビームの出力手段（１０）」は、本願補正発明の「光入力導波路」、「第１のスラブ導波路」、「第２のスラブ導波路」及び「光出力導波路」にそれぞれ相当する。
　
イ　引用発明の「マイクロガイドアレイ（２）」は、そのＭ個のマイクロガイドに対応した複数の光学経路が互いに異なっているものであるから、本願補正発明の「互いに異なる長さの複数の並設されたアレイ導波路」に相当する。
　
ウ　上記（１）ア（イ）の「このタイプのデバイスは、また、ＡＷＧ（Arrayed-Waveguide  Grating）とも称され」（【０００２】参照。）との記載に照らせば、引用発明の「整相アレイデバイス」は、本願補正発明の「アレイ導波路型回折格子」に相当する。
　
エ　引用発明において、各ピースは、１つの基板上に形成され、その後、切断によってこの基板から各ピースに切り離され、プレーナ領域の一部分（１４）と、このプレーナ領域の他の部分（１８）の間の分離面は、第１ピース（１２）及び第２ピース（２６）の分離面と同一の面であり、プレーナ領域の一部分（１４）と、このプレーナ領域の他の部分（１８）は、分離面を互いに向き合わせているものであるから、引用発明は、本願補正発明の「前記第１のスラブ導波路と第２のスラブ導波路の少なくとも一方がスラブ導波路を通る光の経路と交わる切断面で前記基板と一体的に切断されて分離スラブ導波路と成し、該分離スラブ導波路同士が切断面を互いに向き合わせ」との構成を有するものと認められる。
　
オ　引用発明は、１つのピースを、他のピースに対して相対変位させることにより、前記デバイスの中心波長を調整するものであるから、本願補正発明の「切断面の切断ライン方向の位置を、アレイ導波路型回折格子の透過中心波長が予め定めた設定波長に一致する位置に調整して光学的に接続され」との構成を有する。
　
カ　以上によれば、本願補正発明と引用発明とは、
　
「１本または２本以上の並設された光入力導波路の出射側に第１のスラブ導波路が接続され、該第１のスラブ導波路の出射側には該第１のスラブ導波路から導出された光を伝搬する互いに異なる長さの複数の並設されたアレイ導波路が接続され、該複数のアレイ導波路の出射側には第２のスラブ導波路が接続され、該第２のスラブ導波路の出射側には複数の並設された光出力導波路が接続された導波路構成が基板上に形成されているアレイ導波路型回折格子において、前記第１のスラブ導波路と第２のスラブ導波路の少なくとも一方がスラブ導波路を通る光の経路と交わる切断面で前記基板と一体的に切断されて分離スラブ導波路と成し、該分離スラブ導波路同士が切断面を互いに向き合わせて、当該切断面の切断ライン方向の位置を、アレイ導波路型回折格子の透過中心波長が予め定めた設定波長に一致する位置に調整して光学的に接続されているアレイ導波路型回折格子。」
　
である点で一致し、以下の点（ア）及び（イ）で相違するものと認められる。
　
（ア）アレイ導波路型回折格子の透過中心波長が予め定めた設定波長に一致する位置に調整して光学的に接続されるのが、本願補正発明では、「予め定めた設定温度において」とされているのに対して、引用発明では、そのような限定がなされていない点（以下「相違点１」という。）。
　
（イ）本願補正発明では、「前記分離スラブ導波路同士の一方側には、使用環境温度の変化に伴う前記透過中心波長の前記設定波長からのずれを補正する方向に補正量だけ、当該一方側の分離スラブ導波路をその下側の基板と一体的に使用環境温度の変化に応じて前記切断面の切断ラインに沿って他方側の分離スラブ導波路に対して相対的にリアルタイムで移動する手段が設けられている」のに対して、引用発明では、このような手段が設けられていない点（以下「相違点２」という。）。
　
（４）判断
　
ア　相違点１について
　本願補正発明における「予め定めた設定温度」が、透過中心波長が設定波長に一致するように分離スラブ導波路同士の位置を調整する際の温度という程度以上に格別特徴のある温度とは認められない。そうすると、「１つのピースを、他のピースに対して相対変位させることにより、前記デバイスの中心波長を調整する整相アレイデバイス」である引用発明において、このデバイスの中心波長の調整が行われる温度は、本願補正発明における「予め定めた設定温度」にほかならないことになる。したがって、相違点１は、実質的な相違点ではない。
　
イ　相違点２について
　上記（１）イによれば、引用刊行物２には、モノリシック導波路ブロックを第１モノリシックブロック２００と第２モノリシックブロック２０２の二つに分離し、第２モノリシックブロック２０２を、第１モノリシックブロック２００に対して、位相シフトの方向へ相対的に移動させる選択された膨張係数を持つ異なる材料の支持体２１２に取り付けることによって温度変化によって生じる波長シフトを補償する技術が記載されている。
　してみれば、引用発明においても、上記技術を適用し、第１ピースと第２ピースのいずれか一方を、他方に対して、位相シフトの方向へ相対的に移動させる選択された膨張材料を持つ材料の支持体に取り付けることによって、温度変化によって生じる波長シフトを補償することとし、相違点２に係る本願補正発明の構成とすることは、当業者が容易に想到できたことである。
　
ウ　請求人の主張について
　
（ア）請求人は、審判請求の理由及び回答書において、以下の旨主張する。
　
ａ　引用刊行物２に記載の、出力導波路部分をスラブ導波路端面に対向した状態で横方向に移動する構成では、以下のような問題が生じる。
・出力導波路とスラブ導波路の接続部で形成される光電界分布が出力導波路部分の横方向移動によって変化し、通過スペクトルの形状が設定形状に対して形崩れを起こす。
・高温時もしくは、低温時にスラブ導波路と出力導波路との距離が離れるので光電界分布が広がるため、温度変化により通過スペクトル形状が変化する。
・Ｘ方向、Ｙ方向に光の閉じ込めがあり、両方に光軸のずれが生じる可能性があり、その光軸のずれによる損失が生じやすい。そのずれを生じさせないようにするためには、非常に高精度の位置合わせが要求される。
　これに対し、本願の請求項１〜５に係る発明においては、スラブ導波路自体を２つに分離し、分離スラブ導波路の少なくとも一方を他方の分離スラブ導波路に対して移動する構成としているので、上記のような問題は生じず、引用刊行物２に記載された発明によっては得られない効果を奏する。（審判請求の理由　３．（３）。以下「請求人の主張１」という。）
　
ｂ　引用刊行物２に記載された発明における導波路２０６の移動は、光軸がずれる方向に移動するものであり、一方、引用刊行物１に記載された発明においては、各ピースをフェーザの光軸が一致した状態としてその光軸がずれないように固定しておくものであるから、光軸をずらす方向に導波路２０６を移動する引用刊行物２の技術を、光軸がずれないように調整設定するための引用刊行物１の技術に適用することは考えられない。（回答書。以下「請求人の主張２」という。）
　
（イ）しかし、以下に検討するとおり、請求人の主張は、いずれも採用できない。
　
ａ　請求人の主張１について検討するに、上記（１）ア（カ）のとおり、引用刊行物１には、プレーナ領域の起点部分をなすプレーナ領域の「直前個所」において分離がなされているものと比較した場合の、プレーナ領域の内部において二つのピースへと分離がなされているものの利点が記載されているから、引用発明において、引用刊行物２に記載の技術を適用するに際しても、第１および第２ピースを切断する位置を、引用刊行物２に記載のように、プレーナ領域の起点部分をなすプレーナ領域の「直前個所」ではなく、引用発明のプレーナ領域のほぼ中央のままとすることは、当業者が当然考慮することである。
　
ｂ　請求人の主張２について検討するに、引用刊行物１及び引用刊行物２に記載の技術は、いずれも二つに分割された導波路の相対的な位置関係の調整に関するものであるから、引用刊行物１に記載の引用発明に、引用刊行物２に記載の技術を適用することは、当業者が容易に想到できたことというべきである。
　
エ　小括
　
　以上の検討によれば、本願補正発明は、引用発明及び引用刊行物１、２に記載の技術に基づいて当業者が容易に発明をすることができたものというべきであるから、特許法第２９条第２項の規定により、特許出願の際独立して特許を受けることができないものである。
　
（５）むすび 
　
　以上のとおりであるから、本件補正は、平成１４年改正前特許法第１７条の２第５項において準用する同法第１２６条第４項の規定に違反するものであって、同法第１５９条第１項において読み替えて準用する同法第５３条第１項の規定により却下すべきものである。
　
第３　本願発明について
　
１　本願発明
　
　上記のとおり、本件補正は却下されたので、本願の請求項に係る発明は、平成２１年４月２７日付け手続補正後の明細書及び図面の記載からみて、その特許請求の範囲の請求項１ないし請求項５に記載された事項によって特定されるものであるところ、請求項１に係る発明（以下「本願発明」という。）は、上記第２、１に補正前のものとして示したとおりである。
　
２　引用刊行物の記載及び引用発明
　
　上記第２、３（１）及び（２）に記載したとおりである。
　
３　対比・判断
　
　前記第２、２によれば、本願補正発明は、本願発明に係る特許請求の範囲を減縮したものと認められるところ、前記第２、３で検討したとおり、本願発明に係る特許請求の範囲を減縮したものである本願補正発明が、引用発明及び引用刊行物１、２に記載の技術に基づいて当業者が容易に発明をすることができたものである以上、減縮前の本願発明も、本願補正発明と同様の理由により、引用発明及び引用刊行物１、２に記載の技術に基づいて当業者が容易に発明をすることができたものである。
　
４　むすび
　
　以上のとおり、本願発明は、引用発明及び引用刊行物１、２に記載の技術に基づいて当業者が容易に発明をすることができたものであるから、特許法第２９条第２項の規定により特許を受けることができない。
　
　よって、結論のとおり審決する。